(57)【要約】【課題】  発泡樹脂材で部屋構造体に形成されていることから、軽いため、津波避難用櫓への設置が容易であり、また、断熱性にも優れる津波避難用櫓用ハウスを提供することにある。【解決手段】  津波避難用櫓用ハウスが、発泡樹脂材で構成された部屋構造体からなり、発泡樹脂材が、ポリウレア樹脂によりコーティングされ、発泡樹脂材が、ビーズ法ポリスチレンフォームからなり、発泡樹脂材が、ポリウレア樹脂によりコーティングされることで、部屋構造に接着され一体化されていること等を特徴とする。【選択図】図１
2019127708.tif 000002
【特許請求の範囲】
【請求項１】
地面から峙立するコンクリート柱によってなる津波避難用櫓の津波時に昇り上がって避難する位置に設けられる津波避難用櫓用ハウスにおいて、
該津波避難用櫓用ハウスが、発泡樹脂材で構成された部屋構造体からなることを特徴とする津波避難用櫓用ハウス。
【請求項２】
前記発泡樹脂材が、ポリウレア樹脂によりコーティングされていることを特徴とする請求項１記載の津波避難用櫓用ハウス。
【請求項３】
前記発泡樹脂材が、前記ポリウレア樹脂によりコーティングされることで、前記部屋構造に接着され一体化されていることを特徴とする請求項２記載の津波避難用櫓用ハウス。
【請求項４】
前記発泡樹脂材が、ビーズ法ポリスチレンフォームからなることを特徴とする請求項１〜請求項３のいずれかに記載の津波避難用櫓用ハウス。
【発明の詳細な説明】
【技術分野】
【０００１】
本発明は、地面から峙立するコンクリート柱によってなる津波避難用櫓の津波時に昇り上がって避難する位置に設けられる津波避難用櫓用ハウスに関する。
【背景技術】
【０００２】
従来より、津波避難用の構造物として、各種の提案がなされている。例えば、特許文献１に示される避難装置もその１つである。特許文献１の避難装置は、複数本の支柱を梁で相互連結するとともに階段などの登降手段を備え、屋上の避難ステージに避難できるようにした避難装置で、避難ステージは避難ハウスとして耐津波構造として構築されている。
【０００３】
特許文献１の津波避難用の構造物は、多くの人が避難できるように想定されているものの、多くの人が昇ることができる反面、構造が頑丈ではあるが設置には、所定の広さと相応のコストが掛かってしまうという問題点がある。また、従来のような大型の津波避難用の構造物は、設置する土地の確保やコスト等の関係で大量に設置できないことから、設置間隔を短くすることができず、この構造物にたどり着くのに時間を要する避難民も多く発生し、避難の確実を期することが困難である。
【０００４】
そこで、本願発明者は、特許文献２のような構造の津波避難用櫓を発明した。この津波避難用櫓は、地面から峙立するコンクリート柱と、コンクリート柱の上部に持設された避難台と、地面から避難台に昇るための昇降手段とを備え、コンクリート柱が、配電用又は通信用の電柱材である。
【先行技術文献】
【特許文献】
【０００５】
【特許文献１】特開２０１３−１２７１９３号公報
【特許文献２】特開２０１５−２５３１９号公報
【発明の概要】
【発明が解決しようとする課題】
【０００６】
しかしながら、従来の津波避難用櫓では、避難台が屋外に露出しているため、風雨をしのぐことが困難で、長時間そこで避難していることが困難である。対策として、一般の工法による部屋構造を設けることも可能ではあるが、一般の工法では重量があり容易に設置できない。
【０００７】
本発明は、このような事情に鑑みてなされたもので、発泡樹脂材で部屋構造体に形成されていることから、軽いため、津波避難用櫓への設置が容易であり、また、断熱性にも優れる津波避難用櫓用ハウスを提供することにある。
【課題を解決するための手段】
【０００８】
請求項１記載の津波避難用櫓用ハウスは、津波避難用櫓用ハウスが、発泡樹脂材で構成された部屋構造体からなることを特徴とする。
【０００９】
請求項２記載の津波避難用櫓用ハウスは、発泡樹脂材が、ポリウレア樹脂によりコーティングされていることを特徴とする。
【００１０】
請求項３記載の津波避難用櫓用ハウスは、発泡樹脂材が、ポリウレア樹脂によりコーティングされることで、部屋構造に接着され一体化されていることを特徴とする。
【００１１】
請求項４記載の津波避難用櫓用ハウスは、発泡樹脂材が、ビーズ法ポリスチレンフォームからなることを特徴とする。
【発明の効果】
【００１２】
本願の発明の津波避難用櫓用ハウスによれば、発泡樹脂材で部屋構造体に形成されていることから、軽いため、津波避難用櫓への設置が容易であり、また、断熱性にも優れている。
【図面の簡単な説明】
【００１３】
【図１】本発明に係る津波避難用櫓用ハウスの一例を示す説明図である。
【図２】同津波避難用櫓用ハウスの部屋構造体の発泡樹脂材の様子を示す説明図である。
【発明を実施するための形態】
【００１４】
以下、図を参照しながら本願発明について説明する。図１は、本発明に係る津波避難用櫓用ハウスの一例を示す説明図である。図２は、同津波避難用櫓用ハウスの部屋構造体の発泡樹脂材の様子を示す説明図である。
【００１５】
津波避難用櫓１は、津波時に昇り上がって避難する津波避難用の構造物である。尚、本発明に係る津波避難用櫓は、多くの人が避難することを目的にするものではなく、あくまでも少人数の避難を想定したものである。図１における津波避難用櫓１は、地面から峙立する２本のコンクリート柱１０と、コンクリート柱１０の上部に持設された避難台２０と、地面から避難台２０に昇るための昇降手段３０とを備える。
【００１６】
コンクリート柱１０は、津波避難用櫓１専用に作られたコンクリート製の柱材であってもよいが、配電用又は通信用に一般的に用いられる既に量産されている電柱材であればよい。コンクリート柱１０の長さ（高さ）は、１０ｍｍ以上を想定しているが、想定される津波の高さにより、任意に定めれば良い。津波避難用櫓１では、コンクリート柱１０は、２本が地面から林立しているが、１本だけでもよいし、３本以上であってもよい。
【００１７】
コンクリート柱１０は、地面に埋設される部分に、倒壊を防止するための根かせ１２が向けられ、また、同じ目的で、コンクリート柱１０の高さ方向の途中に支線バンド１４ａで固定された支線１４が、地面に向かって放射状に張られている（支線１４の地面部分には、支線１４が抜け出ないように支線アンカ１４ｂが設けられている。）。尚、コンクリート柱１０を林立させる地面の地盤の強度が十分にあり、コンクリート柱１０を、支線１４や根かせ１２を用いずに津波時でも倒壊する恐れがない場合には、支線１４や根かせ１２を用いずに自立させるようにしてもよい。
【００１８】
避難台２０は、籠状で、コンクリート柱１０の上部に持設されている。津波避難用櫓１では、避難台２０は、２本のコンクリート柱１０に架け渡された状態に架設されている。避難台２０は、図示しない２本のコンクリート柱１０を２本で挟み込むように設けられた腕金によりコンクリート柱１０に固定され、その腕金の上に、台板２２が敷設されている。避難台２０の上には、津波避難用櫓用ハウス４０が設けられ、また、台板２２には、手摺り２４が設けられている。
【００１９】
地面から避難台２０へは、避難台２０に昇るための昇降手段３０が設けられている。津波避難用櫓１では、この昇降手段３０は、梯子３２で、地面から避難台２０に向かってコンクリート柱１０に沿って略垂直に設けられている。また、昇降手段３０の梯子３２に沿って上下に昇降するリフト籠３４が設けられている。梯子３２のみで昇降手段３０を構成することは可能であるが、例えば、電動（蓄電池の電源等による）で昇降するリフト籠３４を設けることで、梯子３２とリフト籠３４とで昇降手段３０を構成させることも可能である。
【００２０】
津波避難用櫓用ハウス４０は、発泡樹脂材４２ａで構成された部屋構造体４２からなる。津波避難用櫓１の避難台２０にも設ける避難用の部屋であるため、周囲を壁で覆われ、風雨をしのげる構造である必要がある。また、図１に示すように、出入りのためのドア４４は必要であるが、周囲の様子を確認出来る窓４６があることが望ましい。図１の例では、長方形の箱構造を例示しているが、三角屋根を有するような構造等、外観形状は任意である。
【００２１】
津波避難用櫓用ハウス４０の発泡樹脂材４２ａは、風雨をしのぐことが可能で、避難時に昼夜を過ごすことが可能な保温性を有する材質であればよいが、部屋構造を維持し人が居住できることを考慮すると、ビーズ法ポリスチレンフォームが特に好ましい。
【００２２】
また、図２に示すように、発泡樹脂材４２ａを、ポリウレア樹脂のコーティング材４２ｂによりコーティングすることで、部屋構造体４２を強度や断熱性や防水性を向上させることが可能である。
【００２３】
さらに、部屋構造体４２を形成するにあたり、板形状や角柱形状等の発泡樹脂材４２ａを貼り合わせたり、切削したりしていくが、部屋構造体４２の形状にするための部品単位の発泡樹脂材４２ａを、組み立てつつポリウレア樹脂によりコーティングすることにより、部屋構造に接着され一体化されるようにすることも可能である。このように、部屋構造体４２が、一体的にコーティングされることで、部屋構造体４２を強度や断熱性や防水性をより一層向上させることが可能である。
【００２４】
このように構成された津波避難用櫓用ハウス４０は、発泡樹脂材４２ａで部屋構造体４２に形成されていることから、軽いため、津波避難用櫓１への設置が容易であり、また、断熱性にも優れており、住居Ｈ内の住環境に近づけることが可能である。
【００２５】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００２６】
以上のように、本発明によれば、発泡樹脂材で部屋構造体に形成されていることから、軽いため、津波避難用櫓への設置が容易であり、また、断熱性にも優れる津波避難用櫓用ハウスを提供することができる。
【符号の説明】
【００２７】
１・・・・・津波避難用櫓
１０・・・・コンクリート柱
１２・・・・根かせ
１４・・・・支線
１４ａ・・・支線バンド
１４ｂ・・・支線アンカ
２０・・・・避難台
２２・・・・台板
２４・・・・手摺り
３０・・・・昇降手段
３２・・・・梯子
３４・・・・リフト籠
４０・・・・津波避難用櫓用ハウス
４２・・・・部屋構造体
４２ａ・・・発泡樹脂材
４２ｂ・・・コーティング材
４４・・・・ドア
４６・・・・窓
Ｈ・・・・・住居
【図１】
2019127708.tif 000003
【図２】
2019127708.tif 000004